【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  使用状態に対応した機能が割り当てられた主ソフトキーと、
前記使用状態に対応し、前記主ソフトキーの機能とは異なる機能が割り当てられた副ソフトキーと、
前記主ソフトキーおよび前記副ソフトキーに対応する位置に割り当てられた前記各機能を表す主機能アイコンおよび副機能アイコンを表示する表示画面と、
前記使用状態に対応した前記機能から前記主ソフトキーまたは前記副ソフトキーを操作することで一つの機能を選択して異なる使用状態へ移行させ、移行した前記使用状態に対応した機能の少なくとも一つを前記主ソフトキーまたは前記副ソフトキーに割り当てるとともに、前記主ソフトキーまたは前記副ソフトキーに対応する前記主機能アイコンまたは前記副機能アイコンの表示を変更する制御手段と、
を備えたことを特徴とする携帯端末。
【請求項２】  使用状態に対応した機能が割り当てられた主ソフトキーと、
前記主ソフトキーの右側に配置され、前記主ソフトキーの機能とは異なる前記使用状態に対応した機能が割り当てられた第１の副ソフトキーと、
前記主ソフトキーの左側に配置され、前記主ソフトキーの機能および前記第１の副ソフトキーの機能とは異なる前記使用状態に対応した機能が割り当てられた第２の副ソフトキーと、
前記主ソフトキー、前記第１の副ソフトキーおよび前記第２の副ソフトキーに対応する位置に割り当てられた前記各機能を表す主機能アイコン、第１の副機能アイコンおよび第２の副機能アイコンを表示する表示画面と、
前記使用状態に対応した機能から前記主ソフトキー、前記第１の副ソフトキー、前記第２の副ソフトキーのいずれかによって一つの機能を選択することで異なる使用状態へ移行させ、移行した使用状態に対応した機能の少なくとも一つを前記主ソフトキー、前記第１の副ソフトキー、前記第２の副ソフトキーのいずれかに割り当てるとともに、前記主ソフトキー、前記第１の副ソフトキーおよび前記第２の副ソフトキーに対応する前記主機能アイコン、前記第１の副機能アイコンおよび前記第２の副機能アイコンの表示を変更する制御手段と、
を備えたことを特徴とする携帯端末。
【請求項３】  前記主ソフトキー、第１および第２の副ソフトキーに代えて設けられ、前記表示画面の近傍に回動自在に配置され、中央部の押下によりスイッチングするとともに回動操作しかつ前記主ソフトキーに対応する主ソフトキー要素と、
両端部の押下によりそれぞれスイッチングし、かつ前記第１および第２の副ソフトキーに対応する第１および第２の副ソフトキー要素とからなる略筒状のソフトキーと、
を備えたことを特徴とする請求項２に記載の携帯端末。
【請求項４】  使用状態に対応した複数の機能が割り当てられた主ソフトキーと、
前記主ソフトキーの機能とは異なる前記使用状態に対応した機能が割り当てられた副ソフトキーと、
前記主ソフトキーに対応する位置に前記主ソフトキーに割り当てられた機能を表す複数の主機能アイコンを縦に並べて表示し、前記副ソフトキーに対応する位置に前記副ソフトキーに割り当てられた機能を表す副機能アイコンを表示する表示画面と、
前記主ソフトキーにより前記主機能アイコンの一つを選択することで異なる使用状態へ移行させ、移行した使用状態に対応した機能の少なくとも一つを前記主ソフトキーおよび前記副ソフトキーのいずれかに割り当てるとともに、前記主ソフトキーおよび前記副ソフトキーに対応する前記主機能アイコン、前記副機能アイコンの表示を変更する制御手段と、
を備えたことを特徴とする携帯端末。
【手続補正２】
【補正対象書類名】明細書
【補正対象項目名】０００５
【補正方法】変更
【補正の内容】
【０００５】
【課題を解決するための手段】
上記目的を達成するために、本発明にかかる携帯端末は、使用状態に対応した機能が割り当てられた主ソフトキーと、前記使用状態に対応し、前記主ソフトキーの機能とは異なる機能が割り当てられた副ソフトキーと、前記主ソフトキーおよび前記副ソフトキーに対応する位置に割り当てられた前記各機能を表す主機能アイコンおよび副機能アイコンを表示する表示画面と、前記使用状態に対応した前記機能から前記主ソフトキーまたは前記副ソフトキーを操作することで一つの機能を選択して異なる使用状態へ移行させ、移行した前記使用状態に対応した機能の少なくとも一つを前記主ソフトキーまたは前記副ソフトキーに割り当てるとともに、前記主ソフトキーまたは前記副ソフトキーに対応する前記主機能アイコンまたは前記副機能アイコンの表示を変更する制御手段と、を備えたことを特徴とする。
【手続補正３】
【補正対象書類名】明細書
【補正対象項目名】０００６
【補正方法】変更
【補正の内容】
【０００６】
つぎの発明にかかる携帯端末は、使用状態に対応した機能が割り当てられた主ソフトキーと、前記主ソフトキーの右側に配置され、前記主ソフトキーの機能とは異なる前記使用状態に対応した機能が割り当てられた第１の副ソフトキーと、前記主ソフトキーの左側に配置され、前記主ソフトキーの機能および前記第１の副ソフトキーの機能とは異なる前記使用状態に対応した機能が割り当てられた第２の副ソフトキーと、前記主ソフトキー、前記第１の副ソフトキーおよび前記第２の副ソフトキーに対応する位置に割り当てられた前記各機能を表す主機能アイコン、第１の副機能アイコンおよび第２の副機能アイコンを表示する表示画面と、前記使用状態に対応した機能から前記主ソフトキー、前記第１の副ソフトキー、前記第２の副ソフトキーのいずれかによって一つの機能を選択することで異なる使用状態へ移行させ、移行した使用状態に対応した機能の少なくとも一つを前記主ソフトキー、前記第１の副ソフトキー、前記第２の副ソフトキーのいずれかに割り当てるとともに、前記主ソフトキー、前記第１の副ソフトキーおよび前記第２の副ソフトキーに対応する前記主機能アイコン、前記第１の副機能アイコンおよび前記第２の副機能アイコンの表示を変更する制御手段と、を備えたことを特徴とする。
【手続補正４】
【補正対象書類名】明細書
【補正対象項目名】０００７
【補正方法】変更
【補正の内容】
【０００７】
つぎの発明にかかる携帯端末は、前記主ソフトキー、第１および第２の副ソフトキーに代えて設けられ、前記表示画面の近傍に回動自在に配置され、中央部の押下によりスイッチングするとともに回動操作しかつ前記主ソフトキーに対応する主ソフトキー要素と、両端部の押下によりそれぞれスイッチングし、かつ前記第１および第２の副ソフトキーに対応する第１および第２の副ソフトキー要素とからなる略筒状のソフトキーと、を備えたことを特徴とする。
【手続補正５】
【補正対象書類名】明細書
【補正対象項目名】０００８
【補正方法】変更
【補正の内容】
【０００８】
つぎの発明にかかる携帯端末は、使用状態に対応した複数の機能が割り当てられた主ソフトキーと、前記主ソフトキーの機能とは異なる前記使用状態に対応した機能が割り当てられた副ソフトキーと、前記主ソフトキーに対応する位置に前記主ソフトキーに割り当てられた機能を表す複数の主機能アイコンを縦に並べて表示し、前記副ソフトキーに対応する位置に前記副ソフトキーに割り当てられた機能を表す副機能アイコンを表示する表示画面と、前記主ソフトキーにより前記主機能アイコンの一つを選択することで異なる使用状態へ移行させ、移行した使用状態に対応した機能の少なくとも一つを前記主ソフトキーおよび前記副ソフトキーのいずれかに割り当てるとともに、前記主ソフトキーおよび前記副ソフトキーに対応する前記主機能アイコン、前記副機能アイコンの表示を変更する制御手段と、  を備えたことを特徴とする。
【手続補正６】
【補正対象書類名】明細書
【補正対象項目名】００８２
【補正方法】変更
【補正の内容】
【００８２】
【発明の効果】
以上のように、この発明によれば、使用状態に対応した機能から主ソフトキーまたは副ソフトキーを操作することで一つの機能を選択して異なる使用状態へ移行させ、移行した使用状態に対応した機能の少なくとも一つを前記主ソフトキーまたは副ソフトキーに割り当てるとともに、前記主ソフトキーまたは副ソフトキーに対応する主機能アイコンまたは副機能アイコンの表示を変更することにより、入力キーの削減を可能にするとともに、使い易い大形入力キーを配置することがき、小型化と高機能化とを同時に実現することができるという効果を奏する。
【手続補正７】
【補正対象書類名】明細書
【補正対象項目名】００８４
【補正方法】変更
【補正の内容】
【００８４】
つぎの発明にかかる携帯端末によれば、主ソフトキー、第１および第２の副ソフトキーに代えて設けられ、表示画面の近傍に回動自在に配置され、中央部の押下によりスイッチングするとともに回動操作しかつ前記主ソフトキーに対応する主ソフトキー要素と、両端部の押下によりそれぞれスイッチングし、かつ前記第１および第２の副ソフトキーに対応する第１および第２の副ソフトキー要素とからなる略筒状のソフトキーと、を備えることにより、操作性が一層向上するとともに、使い勝手を飛躍的に向上させることができるという効果を奏する。